【事件の表示】
　平成　８年特許願第３１１１１３号「画像形成装置」拒絶査定不服審判事件〔平成１０年　６月　２日出願公開、特開平１０−１４９０７０〕について、次のとおり審決する。
【結　論】
　本件審判の請求は、成り立たない。
【理　由】
第１　本願発明
　本願は平成８年１１月２１日の出願であって、その請求項１ないし５に係る発明は、平成１３年１１月２日付け、平成１４年２月２１日付け、平成１４年３月２０日付け、平成１４年７月１８日付け、平成１６年１１月２６日付け及び平成１７年４月１１日付けの手続補正により補正された明細書及び図面の記載からみて、その特許請求の範囲により特定されるものであり、そのうち、請求項１に係る発明（以下「本願発明」という。）は、以下のとおりのものである。
　
「表面にトナー像が形成される像担持体を備え、転写材を転写材担持体にて静電的に吸着保持して上記像担持体に導き、トナー像を転写材に転写して画像形成する画像形成装置において、
　上記像担持体におけるトナー像転写位置の上流かつ現像工程の下流に光を照射する光照射手段と、
　帯電器の下流側にて帯電された像担持体の表面電位を計測する背景電位計測手段と、
　現像後照射前の位置のトナー像が形成された状態の像担持体の表面電位であるトナー像表面電位を計測するトナー像表面電位計測手段と、
　予め計測された像担持体の帯電表面電位を記憶する記憶手段と、
　上記トナー像表面電位計測手段にて計測したトナー像表面電位と上記記憶手段に記憶された像担持体の帯電表面電位との差に基づいて上記光照射手段による像担持体への光照射量を変更する照射量変更手段とが設けられる一方、
　上記光照射手段の光照射は、トナーの種類に応じてＯＮ／ＯＦＦされると共に、
　上記転写材担持体が、その表面に、導電体層、半導電体層、および誘電体層をこの順に積層して備えると共に、上記誘電体層の幅が上記半導電体層の幅より大きく形成されており、かつ上記転写材担持体は、空中放電による電荷注入による転写を行うのではなく、電荷の誘起により転写を行う一方、
　上記トナーの種類に応じて所定の光照射時間を設定するためのタイマを備えていることを特徴とする画像形成装置。」
　
第２　引用文献
１．本願の出願前に頒布され、当審における拒絶理由通知に引用された特開平６−２８２１７６号公報（以下「引用文献１」という。）には、以下に列挙する事項が記載されている。
（１）【０００６】
「本発明の目的は、転写時に黒トナーの飛び散りを防止できるカラー画像形成装置を提供することである。」
（２）【０００７】
「本発明に係るカラー画像形成装置は、感光体と、感光体を照射して除電する除電手段と、除電手段により除電された感光体を一様に帯電する帯電手段と、帯電手段により一様に帯電された感光体を画像データに応じて照射して潜像を形成する照射手段と、それぞれ異なった色のトナーを備え潜像を現像する複数の現像装置と、現像されたトナー像を転写材に転写する転写手段と、現像装置と転写手段の間に配置され照射により潜像を除電する転写前除電手段と、環境条件を検出する環境条件検出手段と、環境条件検出手段により検出された環境条件に応じて転写前除電手段の除電を制御する制御手段とを備えたことを特徴とする。
　好ましくは、さらに、文字画像領域に関する情報を入力する入力手段を備え、上記の制御手段は、入力手段により入力された情報から得られた文字画像領域において、環境条件に対応して転写前除電手段を制御する。
　好ましくは、上記の環境条件検出手段が検出する環境条件は、所定基準条件で感光体上に形成した基準トナー画像のトナー濃度である。
　好ましくは、環境条件検出手段は、湿度または温度を検出し、制御手段は、その検出値に基づき除電手段の光量を可変させるか、または、現像後のオートシャット時間を延長する。
　また、好ましくは、環境条件検出手段は、オートシャット中に感光体の残留電位を検出し、制御手段は、残留電位の検出値が大きい場合に除電手段の光量を増加するか、または、除電手段のオートシャット時間を延長する。」
（３）【００１０】〜【００１２】
「現像ユニット８は、トナーとキャリアとからなる二成分系の現像剤を収容した複数の現像装置９Ｙ，９Ｍ，９Ｃ，９Ｋを備えており、これらは一体的に上下移動し、選択された一つの現像装置だけが感光体ドラム２に対向して、静電潜像を、対応する色のトナーで可視像化する。なお、現像装置９Ｙ，９Ｍ，９Ｃ，９Ｋは、それぞれイエローＹ、マゼンタＭ、シアンＣ、ブラックＫの色のトナーを収容している。
　現像の後に、転写前イレーサ１８により感光体を照射して除電が行われる。転写前イレーサ１８を用いる第１の理由は、放電現象防止のためである。図３は、転写チャージャ３の出力電圧（転写出力）の湿度依存性を示す。低温低湿（ＬＬ）の環境では、トナー帯電量が高くなる。そのため、転写時に、通常温度通常湿度（ＮＮ）時より転写チャージャ３の出力電圧を高く設定していないと転写不良となる。よって、低温低湿時は、図３の湿度依存性に示すように、転写チャージャ３の出力電圧を上げている。また、一方、トナー帯電量が高いときは、クーロン力が大きいため、感光体にトナーを付着させるのに現像電圧ΔＶ（最大露光後の感光体の表面電位と現像装置のバイアス電位との差）をかせぐために、帯電装置３による感光体の表面電位を高く設定している。また、図５は、帯電装置３による帯電電位ＶＧと現像装置９による現像バイアス電圧ＶＢの関係を示す。現像電圧ΔＶＢは、図４に示すように、湿度によって求められる。求められた現像電圧ΔＶＢになるように、図５の関係から帯電装置３の帯電電位ＶＧを決定し、静電潜像を作像する。（実際には、ＶＢとＶＧの関係はテーブルとして、制御装置に記憶されている。）表面電位は、帯電電位ＶＧにほぼ等しい。よって、低温低湿（ＬＬ）側では、表面電位が高く設定される。低温低湿の環境では、このような状況にあるので、転写時に転写チャージャ１２が高電圧を発生するとき、感光体側から転写ドラム側へ電荷が流れやすくなり、感光体と転写ドラムの離れ際に放電ノイズが発生してしまう。そこで、この状態を回避するため、転写前にあらかじめ転写前イレーサ１８を機能させて感光体の電位を除電している。
　転写前イレーサ１８を用いるもう一つの理由は、高温高湿（ＨＨ）時に感光体が光半導体の機能として不安定な状態となることである。具体的には、残留電位の上昇および感度低下といった現象が発生する場合がある。そのため、メインイレーサ１７の補助的役割として転写前イレーサ１８を取り付け、感光体に対して十分な光量を与えてやり、感光体が安定した状態で機能するようにしている。転写前イレーサは、特に複写速度が早いときに必要である。転写前イレーサ１８については、さらに、トナー飛び散り防止のために消灯または光量の変調（低下）が行われるが、この点については後で説明する。」
（４）【００１４】
「転写ドラム１１は、ドラム枠体とこのドラム枠体に支持されて円筒状に張られた誘電体フィルムとから構成される。」
（５）【００１５】
「タイミングローラ２０を経て転写ドラム１１に給送されてくる転写シートは、爪３８により先端のみ保持され、その後、転写ドラム１１の内面より負帯電の吸着チャージャ２４にて帯電すると同時に転写シート表面より対向電極２３が接触状態とされて、誘電体フィルムを帯電するとともに転写シート表面を電気的に接地することにより、転写シートを誘電体フィルムに静電吸着させ転写ドラム１１に保持する。」
（６）【００２５】〜【００２７】
「（ｄ）トナー飛び散り防止
　次に、文字の回りのトナー飛び散りを効果的に抑えまたは回避する対策を説明する。このため、転写前イレーサ１８が用いられる。図９は、反転現像時に、転写前イレーサ１８が点灯している通常の場合のトナー転写のモデル図である。ここで、転写部において、感光体ドラム２の感光体は負（ー）に帯電していて、画像部に負電荷のトナー（〇で示す）が付着している。一方、転写ドラム１１の誘電体フィルムは、正（＋）に帯電していて、転写シート４４が転写部に搬送されている。低温低湿時では、この負電荷と正電荷の量が多い。転写前イレーサ１８が点灯している場合は、画像部ではトナーが付着しており、感光体の静電潜像の電荷は十分に除電されない。しかし、感光体の非画像部では、転写前イレーサ１８の光によってほとんど潜像電荷は除電されてしまう。そのため、転写電界（破線矢印で示す）は画像部に形成されやすく、結果として、トナーは広がりながら転写シート４４に転写されて、飛び散りという現象が生じる。ここに、実線矢印は、トナーの動きを示す。
　次に、図１０は、転写前イレーサ１８が消されている場合のトナー転写のモデル図である。転写前イレーサ１８が消灯している場合、図９とは逆に、感光体の潜像電位は非画像部の方がさらに負である。よって、転写電界は非画像部にて強く形成されやすく、トナーは、転写電界にシールドされた形になり、忠実に転写されやすい状態になる。これらのことから、転写前イレーサ１８を消す方が飛び散りに対しては効果的であることが説明できる。転写効率自体は、低下するが、飛び散りが防止できるため、黒文字部は、コントラストがよくなり、しまった感じになり、画像の品質が向上する。また、後で説明するように悪影響も小さい。なお、転写前イレーサ１８を消灯する代わりに、光量を変調（低下）する方法でも同様な効果がある。これは、表面電位があまり除電されない（図１０のように非画像部と転写電界を形成しやすい程度の）光量であればよいということである。
　このような制御を行えば、文字部は、ほぼ黒単色で画像が形成されているため、黒転写時に転写前イレーサ１８を消灯し、または、光量を変調することで、飛び散りを防止できる。一方、Ｃ，Ｍ，Ｙ現像時は、転写前イレーサ１８を消していないが、付着が少ないため飛び散りはほとんど目立たない。したがって、画像部に関しては、点灯していても問題ない。先に述べた従来の転写部分離時の放電現象は、フィルム上への電荷の蓄積によって起こるものである。全色について転写前イレーサ１８を消すと、４回の転写の間で蓄積が起こるが、本実施例ではＣ，Ｍ，Ｙ動作時には転写イレーサ１８を点灯しているため、蓄積がほとんどなく、Ｋ（ブラック）現像時のみ転写前イレーサ１８を消灯し、または、光量を変調しても、この問題は発生しない。」
（７）【００３３】〜【００３６】
「（１）雰囲気湿度に対応した制御
　転写前イレーサ１８の光量は、湿度センサ２１３で検知された雰囲気湿度に対応して制御される。図１３は、Ｋ（黒）現像時の転写前イレーサ１８の光量を示し、図１４は、Ｃ，Ｍ，Ｙ現像時の転写前イレーサ１８の光量を示す。湿度が低い場合、相対的にトナーの帯電量は高くなる。そこで、前に転写前除電の必要性について説明したように、感光体表面電位を高く、転写チャージャ１２の出力電圧も高くしなければならない。もしこのような状態で転写前イレーサ１８を点灯するとトナー飛び散りが発生しやすい。放電現象との兼ね合いがあるため、Ｃ，Ｍ，Ｙ現像時は、図１４に示すように、転写前イレーサ１８を点灯する。すなわち、光量は、高湿時は一定値であるが（全点灯）、湿度が低くなるにつれ少しづつ小さくする（変調）。一方、Ｋ（黒）現像時は、図１３に示すように、光量は、高湿時は一定値であるが（全点灯）、湿度が低くなるにつれ低くする（変調）。この低下の程度は、Ｃ，Ｍ，Ｙの場合に比べ大きく、低湿時には転写前イレーサ１８を完全に消灯する（低湿部分参照）。
　湿度が高い場合、相対的にトナーの帯電量は低くなる。よって感光体表面電位は低く転写チャージャ１２の出力電圧も低いので、トナー飛び散りはあまり発生しない。このような場合は、Ｃ，Ｍ，Ｙ，Ｋとも転写前イレーサ１８は点灯させる。また高湿時は感光体の状態も不安定なので、全色時に点灯が必要となる（図１３と図１４の高湿部分参照）。
　以上に説明した雰囲気湿度に対応した制御では、トナーの帯電量によって感光体表面電位と転写チャージャ１２の出力電圧とを可変していることになる。これら３者によって飛び散りの状態が変化してくるので、湿度が標準状態である約４０〜７０％ＲＨの場合は、転写前イレーサの光量を徐々に上げていけばよい。また標準状態では、感光体の状態も安定しているので、全色現像時において光量を可変させても問題ない。
　（２）雰囲気温度に対応した制御
　転写前イレーサ１８の光量は、温度センサ２１２で検知された雰囲気温度に対応して制御される。温度が低い場合比較的トナー帯電量が高くなる。温度が高い場合、相対的にトナー帯電量は低くなる。よって湿度に対する制御と同様に、転写前イレーサ１８の光量は、図１５、図１６のように制御すれば良い。Ｃ，Ｍ，Ｙ現像時は、図１５に示すように、転写前イレーサ１８を点灯するが、温度が低くなるにつれ光量は小さくする。一方、黒現像時は、図１５に示すように、温度が低くなるにつれ転写前イレーサ１８の光量を低くする。この低下の程度は、Ｃ，Ｍ，Ｙの場合に比べ大きく、低温時には消灯する（低温部分参照）。温度が高い場合、感光体表面電位は低く転写チャージャ１２の出力電圧も低いので、トナー飛び散りはあまり発生しない。このような場合は、Ｃ，Ｍ，Ｙ，Ｋとも転写前イレーサ１８は点灯させる。また高温時は感光体の状態も不安定なので、全色時に点灯が必要となる（図１５と図１６の高温部分参照）。
　以上に説明した雰囲気温度に対応した制御では、トナーの帯電量によって感光体表面電位と転写チャージャ１２の出力電圧とを可変していることになる。これら３者によって飛び散りの状態が変化してくるので、温度が標準状態の場合は、転写前イレーサ１８の光量を徐々に上げていけばよい。また標準状態では、感光体の状態も安定しているので、全色現像時において光量を可変させても問題ない。」
（８）第２図の記載からみて、転写前イレーザ１８は、現像器９Ｋと、転写チャージャ１２との間に位置するものである。
　
　これらの記載からみて、引用文献１には、以下のとおりの発明（以下「引用発明１」という。）が開示されているものと認める。
「表面にトナー像が形成される感光体ドラム２を備え、転写シートをドラム枠体と誘電体フィルムからなる転写ドラム１１にて静電的に吸着保持して上記像担持体に導き、トナー像を転写シートに転写して画像形成する画像形成装置において、
　上記感光体ドラム２における現像器と転写チャージャとの間に位置し、感光体ドラム２に光を照射する転写前イレーザ１８と
　雰囲気湿度を検知する湿度センサ２１３と、
　雰囲気温度を検知する温度センサ２１２と、
　上記湿度センサ２１３にて検知された雰囲気湿度と上記温度センサ２１２にて検知された雰囲気温度に基づいて上記転写前イレーザ１８による感光体ドラム２への光量を制御する手段とが設けられる一方、
　上記転写前イレーザ１８による光照射は、感光体と転写ドラムの離れ際に放電ノイズが発生しない様に、また、文字の回りのトナー飛び散りを効果的に抑えまたは回避する様光量を制御され、
　特にＫ現像時においては、Ｃ、Ｍ及びＹの現像時と比較して光量を低下させ又は消灯する様に制御され、
　放電現象を防止しつつ転写を行う画像形成装置。」
　
２．同じく特開平６−１３０７６８号公報（以下「引用文献２」という。）には、以下に列挙する事項が記載されている。
（１）【００１２】〜【００１４】
「しかしながら、上記従来例のような画像形成装置によってプリント画像を出力したところ、例えば湿度が高い日と低い日、或は気温の低い日と高い日などにおいて画像の濃度が変化したり、転写効率の低下によるボソツキ等が発生してしまう問題があった。このような温湿度の変化に対応する制御方法としては、温湿度センサによって機内温度及び湿度を測定することによりトナーの単位重量当たりの電荷量Ｑ／Ｍを予測し、現像コントラストや転写条件を制御する方法が知られている。
　しかしながら、このような方法によると、例えば高湿状態から低湿状態に急に湿度が変化した場合（例えばクーラー等を動作させた後など）などにおいては、環境センサはすぐに低湿状態と検知するが、トナーの吸湿状態は急には変わらないため、実際のＱ／Ｍ絶対値は予想値よりも低い値となっている。このように、温湿度センサによって制御する従来の方法では環境の変化に対するレスポンスが悪く、安定した高品位の画像を常時出力することは困難である。
　従って、本発明の目的は、環境の変化に対してレスポンスが早く、安定した高品位の画像を常時出力することができる画像形成装置を提供することである。」
（２）【００１７】
「ここで、上記のように現像トナーの電荷によって変動する感光体ドラム表面上の電位分Ｖｘ−Ｖｉ、及び前露光ランプによる露光照射後のトナー層上の表面電位Ｖｔを表面電位センサにてそれぞれ測定することによって、感光体ドラム上に現像されたトナーの単位面積当たりの電荷量σｔ（Ｑ／Ｓ）を計算により求め、さらに、トナーの単位面積当たりの現像量Ｍ／Ｓ及び単位重量当たりのトナー電荷量Ｑ／Ｍの計算を行ない、予測する方法について説明する。なお、トナーの電荷密度（トナーの単位面積当たりの電荷量）をσｔ、感光体ドラム上の表面電荷密度をσｋ、像露光部の潜像電位をＶｉ、現像後の表面電位をＶｘ、露光照射後のトナー層上の表面電位をＶｔ、トナーの誘電率をεｔε０、感光体の誘電率をεｋε０、トナー層の厚みをｄｔ、感光体の膜厚をｄｋ、静電容量をＣ、感光体ドラムの表面積をＳとして説明する。」
（３）【００２４】〜【００２５】
「上記式（９）と上記式（６）から次の式（１０）が求められる。
        σｔ＝｛（Ｖｘ−Ｖｉ）−Ｖｔ｝×（εｋε０）／ｄｋ
                                                      ・・・  （１０）
この式（１０）中のＶｘ−Ｖｉ及びＶｔは実測され、また、εｋε０及びｄｋについては使用した感光体の数値を入れてやることにより、トナーの単位面積当たりの電荷量σｔ（Ｑ／Ｓ）を求めることができる。」
（４）【００３１】〜【００３２】
「本実施例の複写機もドラム形状の導電性基板上に光導電層を被着した感光体ドラム１を有し、この感光体ドラム１は図示矢印方向に定常回転し、その回転方向に沿って、感光体ドラム１に一様帯電を行なう帯電器３、露光後の潜像の現像を行なう現像剤（トナー）を収納する現像装置２、現像後のトナー像を記録材（紙）へ転写する転写帯電器７、感光体ドラム１上の残留トナー等の付着汚染物を除去するクリーナ５１、感光体ドラム１表面を十分に露光して除電、初期化する前露光ランプ（除電ランプ）４がそれぞれ配設されている。
　本実施例においては、上記従来例と同様の像露光の直後の位置に第１の表面電位センサ９を設置することに加えて、現像直後の位置と前露光ランプ４による露光照射直後の位置にそれぞれ第２及び第３の表面電位センサ９１及び９２を設置し、レーザ走査部１００を用いて感光体ドラム１上に静電潜像を形成した直後の感光体ドラム１上の表面電位を測定することは勿論、現像装置２によるトナー現像直後の感光体ドラム１上の電位を測定するとともに、トナー像を保持した感光体ドラム１をそのまま回転させて（転写帯電器７、分離帯電器８、及びクリーナ５１を作動させない状態で）前露光ランプ４により十分に露光照射した直後の感光体ドラム１上の表面電位をも測定するものである。」
（５）【００４６】〜【００４８】
　本実施例の複写機は電源を投入した直後、或はスタンバイ状態（複写可能状態）になった場合や、前測定から一定時間経過した後などにおいて、上述のように、感光体ドラム１上にトナーを現像することによってトナーの電荷により変動する電位分Ｖｘ−Ｖｉ、及び露光照射後のトナー層上の表面電位Ｖｔを第２及び第３の表面電位センサ９１及び９２によって測定する。測定のための動作は例えば次のようにして行なわれる。
　まず最初に、第１の表面電位センサ９によって像露光後の感光体ドラム１の表面電位を測定することにより、周知の電位制御を行なって例えばＶｃｏｎｔ＝３５０Ｖになるように、帯電器３のバイアス設定値やレーザ出力値等を設定する。次に、感光体ドラム１は前露光ランプ４によって露光されて均一に除電される。その後、帯電器３によって感光体ドラム１上を例えば−６００Ｖに均一に帯電する。次に、この一様に帯電された感光体ドラム１上の電位（−６００Ｖ）を、レーザ光を走査することによって−１００Ｖ（＝Ｖｉ）に減衰させる。この潜像部に対して相対的に低い直流電圧ＶＤＣ＝−４５０Ｖに、次のかっこ内の条件の交流電圧を重畳させたバイアス電圧（Ｖｆ＝２０００Ｈｚ、ＶＰＰ＝２０００ＫＶ）を現像装置２内の現像スリーブ２１に印加することにより、感光体ドラム１上にトナーを現像する。その直後に、感光体ドラム１に対して非接触に設置された第２の表面電位センサ９１によって現像直後の感光体ドラム１上の電位Ｖｘを測定する。このＶｘから潜像電位Ｖｉを引いた値Ｖｘ−Ｖｉをメモリ（図示せず）に記録する。この後、感光体ドラム１は、その感光体表面にトナーを載置した状態で回転駆動され、転写バイアス、分離バイアスがそれぞれオフの状態の転写帯電器７、分離帯電器８を通過し、さらに、感光体ドラム１と非接触となるように後退位置にあるクリーナ５１を通過して前露光ランプ４に達し、この前露光ランプ４によってトナー層を透過することのできる十分な光を照射された後、前露光ランプ４と帯電器３との間に設置された第３の表面電位センサ９２によって露光照射後の感光体ドラム１上の電位Ｖｔを測定し、メモリに記録する。このようにしてトナーの電荷によって変動する電位分Ｖｘ−Ｖｉ、及び露光照射後のトナー層上の表面電位Ｖｔを第２及び第３の表面電位センサ９１及び９２によって測定した後、感光体ドラム１をさらに回転させて今度は感光体ドラム１に接触した作動位置にあるクリーナ５１によって感光体ドラム１上のトナーをクリーニングし、トナーを回収する。
　このようにして測定したＶｘ−Ｖｉ及びＶｔを用いて感光体ドラム１上に現像されたトナーの単位面積当たりの電荷量σｔ（Ｑ／Ｓ）を計算により求め、さらに、トナーの単位面積当たりの現像量Ｍ／Ｓ、単位重量当たりのトナーの電荷量Ｑ／Ｍの計算を行ない、それらを予測する。」
（６）【００５１】〜【００５２】
「また、他の例としては、トナーのＱ／Ｍが変化すると、転写工程を行なう際の転写電流Ｉ（転写の際に感光体ドラム１に流れ込む電流量）の適性値が変わってくる。この適性値は、Ｑ／ＭとＭ／Ｓによって決まることが分っている。Ｍ／Ｓについては、例えば前記のような方法によって制御されているとすると、転写工程を行なう際の転写電流ＩはＱ／Ｍに依存するといえる。Ｑ／Ｍと適性転写電流値の関係は図１５に示すようになっている。本発明によれば、実際に転写するトナーのＱ／Ｍの値を良い精度で予想することができるようになるため、転写効率の最適化の制御を正確に行なうことができるようになる。
　以上は現像コントラスト及び転写条件を制御する２つの例について説明したが、本実施例のように感光体ドラム１上にトナーを現像することによってトナーの電荷により変動する電位分Ｖｘ−Ｖｉ、及び露光照射後のトナー層上の表面電位Ｖｔを表面電位センサ９１及び９２によって測定すること…ができると、他の各種設定条件の制御も正確に行なうことができるようになり、画像の安定性は大幅に向上する。」
（７）第１図の記載からみて、感光体ドラム１の回転する順序で、帯電器３、像露光を行う部位、第１の表面電位センサ９，現像装置２の順に並んでいるものである。
　
　これらの記載からみて、引用文献２には、以下のとおりの発明（以下「引用発明２」という。）が開示されているものと認める。
「表面にトナー像が形成される感光体ドラム１を備え、記録材を上記感光体ドラム１に導き、トナー像を記録材に転写して画像形成する画像形成装置において、
　帯電器３と現像装置２の間でかつ像露光の直後の位置に設置され、感光体ドラム１上に静電潜像を形成した直後の感光体ドラム１上の表面電位を測定する第１の表面電位センサ９と、
　現像装置２によるトナー現像直後の感光体ドラム１上の電位を測定する第２の表面電位センサ９１と、
　上記第２の表面電位センサ９１にて測定した現像装置２によるトナー現像直後の感光体ドラム１上の電位と、上記第１の表面電位センサ９にて計測した感光体ドラム１上に静電潜像を形成した直後の感光体ドラム１上の表面電位との差を一旦メモリに格納し、前記差に基づいて、現像コントラスト及び転写条件を含む画像形成装置の各種設定条件の制御を行う手段とが設けられたことを特徴とする画像形成装置。」
　
第３　対比
　本願発明と引用発明１とを対比する。
　
　引用発明１における「転写前イレーザ」は、像担持体のトナー像転写位置の上流かつ現像工程の下流に光を照射する手段であるから、本願発明における「光照射手段」に相当する。
　引用発明１における「感光体ドラムへの光量を制御する手段」は、光照射手段による像担持体への光照射量を変更する手段であるから、本願発明における「照射量変更手段」に相当する。
　引用発明１における「湿度センサ」及び「温度センサ」の総体は、照射量変更手段の光照射量の変更の基になる値を計測する手段であるから、本願発明における「背景電位計測手段」及び「トナー像表面電位計測手段」の総体と同様の機能を有する。
　引用発明１における「特にＫ現像時においては、Ｃ、Ｍ及びＹの現像時と比較して光量を低下させ又は消灯する様に制御され」ることは、本願発明における「上記光照射手段の光照射は、トナーの種類に応じてＯＮ／ＯＦＦされる」ことに相当する。
　引用発明１において「上記転写前イレーザ１８による光照射は、感光体と転写ドラムの離れ際に放電ノイズが発生しない様に、また、文字の回りのトナー飛び散りを効果的に抑えまたは回避する様光量を制御され」ることにより、転写ドラムが放電を行うことなく転写電界を発し、その結果転写シートに電荷が誘起されることは明らかであるから、本願発明における「転写材担持体が…空中放電による電荷注入による転写を行うのではなく、電荷の誘起により転写を行うこと」に相当する。
　
　したがって、両者は
「表面にトナー像が形成される像担持体を備え、転写材を転写材担持体にて静電的に吸着保持して上記像担持体に導き、トナー像を転写材に転写して画像形成する画像形成装置において、
　上記像担持体におけるトナー像転写位置の上流かつ現像工程の下流に光を照射する光照射手段と、
　上記光照射量の変更の基になる値を計測する手段と、
　上記計測する手段が計測した値に基づいて上記光照射手段による像担持体への光照射量を変更する照射量変更手段とが設けられる一方、
　上記光照射手段の光照射は、トナーの種類に応じてＯＮ／ＯＦＦされるとともに、
　上記転写材担持体は、空中放電による電荷注入による転写を行うのではなく、電荷の誘起により転写を行うことを特徴とする画像形成装置。」
である点で一致し、以下に列挙する点で相違している。
　
１．本願発明においては、上記光照射量の変更の基になる値を計測する手段として背景電位計測手段及びトナー像表面電位計測手段とが設けられ、背景電位とトナー像表面電位の差に基づいて光照射量を変更しているのに対して、引用発明１においては、湿度センサ及び温度センサとを設け、湿度センサにて検知された雰囲気湿度及び温度センサにて検知された雰囲気温度に基づいて光照射量を変更している点。
２．本願発明においては予め計測された像担持体の帯電表面電位を記憶する記憶手段を有しているのに対して、引用発明１には同様の構成を有していない点。
３．本願発明における転写材担持体が、その表面に、導電体層、半導電体層、および誘電体層をこの順に積層して備えると共に、上記誘電体層の幅が上記半導電体層の幅より大きく形成されているのに対して、引用発明１における転写ドラムはドラム枠体と誘電体フィルムからなる点。
４．本願発明はトナーの種類に応じて所定の光照射時間を設定するためのタイマを備えているのに対して、引用発明１は同様の構成を有していない点。
　
第４　判断
１．相違点１に対して
　引用文献２には、「第２　２．」であげた引用発明２が開示されている。
　相違点１に係る技術的事項と引用発明２とを対比する。
　引用発明２における「第１の表面電位センサ９」は、帯電器の下流側にて帯電された像担持体の表面電位を計測するものであるから、相違点１における「背景電位計測手段」に相当する。
　引用発明２における「第２の表面電位センサ９１」は、現像後照射前の位置のトナー像が形成された状態の像担持体の表面電位を計測するものであるから、相違点１における「トナー像表面電位計測手段」に相当する。
　したがって、上記光照射量の変更の基になる値を計測する手段として背景電位計測手段及びトナー像表面電位計測手段とが設けられ、該背景電位とトナー像表面電位の差に基づいて画像形成装置の制御を行うことは、引用文献２に記載されている。
　引用発明１及び引用発明２は、いずれも環境条件の変化による画質のばらつきを低減した画像形成装置に関するものであり、同一の技術分野に属する。また、引用文献１及び引用文献２の記載から、組み合わせに格段の困難を要するものでもない。
　ゆえに、引用発明１において、雰囲気湿度及び雰囲気温度に代えて、引用文献２に記載されている様に第１及び第２の表面電位センサによる表面電位を計測し、これらの表面電位の差をとり、この差に基づいて光照射量を制御する様構成することは、当業者が容易に想到し得るものである。
　
２．相違点２に対して
　画像制御装置の制御において、制御に必要な数値を一旦記憶する手段を設けることは、例えば引用文献２に記載されている様に当業者に周知の技術事項にすぎない。
　また、周知技術の適用により顕著な作用効果を奏するものでもない。
　
　したがって、この周知技術を予め計測された像担持体の帯電表面電位に用いることは、当業者が必要に応じて適宜なし得る単なる周知技術の付加・転換にすぎない。
　
３．相違点３について
　転写材担持体が、その表面に、導電体層、半導電体層、および誘電体層をこの順に積層して備えると共に、上記誘電体層の幅が上記半導電体層の幅より大きく形成されており、空中放電による電荷注入による転写を行うのではなく、電荷の誘起により転写を行う画像形成装置は、たとえば特開平７−２６１５８１号公報及び特開平８−１２３２１９号公報に記載されている様に当業者に周知の技術事項にすぎない。
　また、周知技術の適用により顕著な作用効果を奏するものでもない。
　
　したがって、この周知技術を、転写材担持体を備えた画像形成装置である引用発明１に適用することは、当業者が必要に応じて適宜なし得る単なる周知技術の付加・転換にすぎない。
　
４．相違点４について
　画像形成装置において、タイマにより転写終了時期を検出し、画像形成装置の各種制御に用いることは、たとえば特開平８−１９０２３５号公報及び特開平８−２２０９０１号公報に記載されている様に当業者に周知の技術事項にすぎない。
　また、周知技術の適用により顕著な作用効果を奏するものでもない。
　
　したがって、この周知技術を引用発明１における光照射手段（転写前イレーザ）の制御に適用して、タイマにより消灯または変調を行うよう構成することは、当業者が必要に応じて適宜なし得る単なる設計変更程度の事項にすぎない。
　
第５　結び
　以上のとおりであるから、本願発明は、引用文献１に記載された発明、引用文献２に記載された発明及び周知技術に基づいて、当業者が容易に発明をすることができたものであるから、特許法第２９条第２項の規定により特許を受けることができないものである。
　したがって、他の請求項に係る発明について検討するまでもなく、本願は拒絶すべきものである。
　よって、結論のとおり審決する。